(57)【要約】【課題】  遊技者が球貸ボタンを誤って操作するおそれのないパチンコ機を実現する。【解決手段】  球貸ボタン６３ａが取り付けられた球貸ボタンユニット６３と、返却ボタン６４ａが取り付けられた返却ボタンユニット６４とは、周面の一部がケース部材１１１に埋没した状態で上下に並んで上皿６に備えられている。球貸ボタンユニット６３および返却ボタンユニット６４の各左端部には、それぞれ歯車６３ｂ、６４ｂが備えられている。歯車６３ｂ、６４ｂをケース部材１１１の奥行き方向に回転させることで、球貸ボタンユニット６３および返却ボタンユニット６４を回転させることができる。球貸ボタン６３ａおよび返却ボタン６４ａをケース部材１１１の裏側に隠しておけば、遊技者が誤って球貸ボタン６３ａまたは返却ボタン６４ａを操作してしまうおそれがない。【選択図】  図５
2005237446.tif 000002
【特許請求の範囲】
【請求項１】
遊技者が遊技をするための所定の操作をする操作手段を備えたパチンコ機において、
前記操作手段には、
周面の少なくとも一部が、このパチンコ機の前面部に埋没された回転部材と、この回転部材の周面に設けられた操作部とが備えられており、前記回転部材は、回転すると、前記操作部が前記前面部の表側に出現する第１の姿勢と、前記前面部の裏側に隠れる第２の姿勢とに変化することを特徴とするパチンコ機。
【請求項２】
前記操作手段は、貸出用の遊技球を払出す払出装置を作動させて前記遊技球を払出させるために遊技者が操作するものであることを特徴とする請求項１に記載のパチンコ機。
【請求項３】
記録媒体を挿入する挿入口と、この挿入口に挿入された前記記録媒体に記録されている情報を読取る読取装置と、前記挿入口に挿入された前記記録媒体を挿入前の位置へ返却する返却装置とが備えられており、
前記払出装置は、前記操作手段が操作されたときに、前記読取装置により読取られた前記情報に基づいて遊技球を払出し、
前記操作部には、前記払出装置を作動させるために遊技者が操作する貸出操作部と、前記返却装置を作動させるために遊技者が操作する返却操作部とが備えられており、前記回転部材は、回転すると、前記貸出操作部が前記前面部の表側に出現するとともに前記返却操作部が前記前面部の裏側に隠れる第１の姿勢と、前記返却操作部が前記前面部の表側に出現するとともに前記貸出操作部が前記前面部の裏側に隠れる第２の姿勢とに変化することを特徴とする請求項２に記載のパチンコ機。    
【請求項４】
記録媒体を挿入する挿入口と、この挿入口に挿入された前記記録媒体に記録されている情報を読取る読取装置と、前記挿入口に挿入された前記記録媒体を挿入前の位置へ返却する返却装置とが備えられており、
前記払出装置は、前記操作手段が操作されたときに、前記読取装置により読取られた前記情報に基づいて遊技球を払出し、
前記払出装置を作動させるために遊技者が操作する貸出操作部と、前記返却装置を作動させるために遊技者が操作する返却操作部とが備えられており、
前記操作手段には、
周面の少なくとも一部が、このパチンコ機の前面部に埋没された第１の回転部材および第２の回転部材が備えられており、
前記第１の回転部材の周面には前記貸出操作部が、前記第２の回転部材の周面には前記返却操作部がそれぞれ設けられており、
前記第１の回転部材および前記第２の回転部材は、
一方の回転部材の回転に連動して他方の回転部材が回転し、かつ、前記貸出操作部が前記前面部の表側に出現しているときは前記返却操作部が前記前面部の裏側に隠れる第１の姿勢と、前記貸出操作部が前記裏側に隠れているときは前記返却操作部が前記表側に出現する第２の姿勢とに変化することを特徴とする請求項２に記載のパチンコ機。
【請求項５】
前記第１の回転部材には、その回転軸と共通の回転軸を有する第１の歯車が取付けられており、かつ、前記第２の回転部材には、その回転軸と共通の回転軸を有するとともに前記第１の歯車と噛み合う第２の歯車が取付けられており、
前記第１の回転部材および前記第２の回転部材は、前記第１の歯車および前記第２の歯車を介して連動していることを特徴とする請求項４に記載のパチンコ機。
【発明の詳細な説明】
【技術分野】
【０００１】
この発明は、貸出用の遊技球を払出す装置を備えたパチンコ機に関する。
【背景技術】
【０００２】
従来、この種のパチンコ機として、プリペイドカードを購入して遊技を行う、いわゆるＣＲ機と呼ばれるパチンコ機が知られている。パチンコ機の横に設けられたプリペイドカードユニットにプリペイドカードを挿入すると、プリペイドカードの残り度数（残高）が読み取られ、その残り度数がパチンコ機の所定個所に表示される。そして、パチンコ機の上皿の前面に設けられた球貸ボタンを押すと、パチンコ機の内部に設けられた払出装置が作動し、所定個数（たとえば２５個）の遊技球が貸球として上皿に払出され、残り度数が減少する。
そして、発射ハンドルを回すと発射装置が作動し、上皿に収容されている遊技球が遊技盤へ発射される。その遊技球が入賞口に入賞すると、入賞を検出した主制御基板が、賞球の払出しを指示する賞球コマンドを払出制御基板へ送信し、払出制御基板が駆動信号を上記払出装置へ出力し、払出装置が作動して所定個数の遊技球が賞球として上皿に払出される。遊技者は、賞球として払出された遊技球を使用して遊技を継続することができる。
【０００３】
【特許文献１】特開２００２−１４３５３７号公報（第１０段落、図１）
【発明の開示】
【発明が解決しようとする課題】
【０００４】
ところで、大当りが発生すると、短時間で大量の遊技球が上皿へ供給され、一度に多くの遊技球が上皿の出口付近に流下するため、その出口付近で遊技球がつかえてしまうことがある。このため、遊技者は、上皿に貯留されている遊技球の流れを手で調節し、一度に多くの遊技球が出口に流下しないようにして遊技を行う。
しかし、遊技球の流れを手で調節するときに、上皿の前面に設けられた球貸ボタンを誤って操作してしまい、意に反して貸球が払出されてしまうことがある。このような事態が起きると、遊技者は無駄な出費を強いられることになってしまう。また、その日の使用金額を決めて計画的に遊技をしていた遊技者にとっては、計画が崩れてしまうことになる。
つまり、従来のパチンコ機は、遊技者が球貸ボタンを誤って操作してしまうおそれがあるという問題を抱えている。
【０００５】
そこでこの発明は、遊技者が球貸ボタンを誤って操作するおそれのないパチンコ機を実現することを目的とする。
【課題を解決するための手段】
【０００６】
この発明は、上記目的を達成するため、請求項１に記載の発明では、遊技者が遊技をするための所定の操作をする操作手段を備えたパチンコ機において、前記操作手段には、周面の少なくとも一部が、このパチンコ機の前面部に埋没された回転部材と、この回転部材の周面に設けられた操作部とが備えられており、前記回転部材は、回転すると、前記操作部が前記前面部の表側に出現する第１の姿勢と、前記前面部の裏側に隠れる第２の姿勢とに変化する、という技術的手段を用いる。
【０００７】
請求項２に記載の発明では、請求項１に記載のパチンコ機において、前記操作手段は、貸出用の遊技球を払出す払出装置を作動させて前記遊技球を払出させるために遊技者が操作する貸出操作手段である、という技術的手段を用いる。    
【０００８】
請求項３に記載の発明では、請求項２に記載のパチンコ機において、記録媒体を挿入する挿入口と、この挿入口に挿入された前記記録媒体に記録されている情報を読取る読取装置と、前記挿入口に挿入された前記記録媒体を挿入前の位置へ返却する返却装置とが備えられており、前記払出装置は、前記貸出操作手段が操作されたときに、前記読取装置により読取られた前記情報に基づいて遊技球を払出し、前記操作部には、前記払出装置を作動させるために遊技者が操作する貸出操作部と、前記返却装置を作動させるために遊技者が操作する返却操作部とが備えられており、前記回転部材は、回転すると、前記貸出操作部が前記前面部の表側に出現するとともに前記返却操作部が前記前面部の裏側に隠れる第１の姿勢と、前記返却操作部が前記前面部の表側に出現するとともに前記貸出操作部が前記前面部の裏側に隠れる第２の姿勢とに変化する、という技術的手段を用いる。
【０００９】
請求項４に記載の発明では、請求項２に記載のパチンコ機において、記録媒体を挿入する挿入口と、この挿入口に挿入された前記記録媒体に記録されている情報を読取る読取装置と、前記挿入口に挿入された前記記録媒体を挿入前の位置へ返却する返却装置とが備えられており、前記払出装置は、前記貸出操作手段が操作されたときに、前記読取装置により読取られた前記情報に基づいて遊技球を払出し、前記貸出操作手段には、周面の少なくとも一部が、このパチンコ機の前面部に埋没された第１の回転部材および第２の回転部材が備えられており、前記第１の回転部材の周面には前記貸出操作部が、前記第２の回転部材の周面には前記返却操作部がそれぞれ設けられており、前記第１の回転部材および前記第２の回転部材は、一方の回転部材の回転に連動して他方の回転部材が回転し、かつ、前記貸出操作部が前記前面部の表側に出現しているときは前記返却操作部が前記前面部の裏側に隠れる第１の姿勢と、前記貸出操作部が前記裏側に隠れているときは前記返却操作部が前記表側に出現する第２の姿勢とに変化する、という技術的手段を用いる。
【００１０】
請求項５に記載の発明では、請求項４に記載のパチンコ機において、前記第１の回転部材には、その回転軸と共通の回転軸を有する第１の歯車が取付けられており、かつ、前記第２の回転部材には、その回転軸と共通の回転軸を有するとともに前記第１の歯車と噛み合う第２の歯車が取付けられており、前記第１の回転部材および前記第２の回転部材は、前記第１の歯車および前記第２の歯車を介して連動している、という技術的手段を用いる。
【発明の効果】
【００１１】
（請求項１に記載の発明の作用）
回転部材の周面に、遊技をするための所定の操作をする操作手段の操作部が設けられている。この回転部材は、パチンコ機の前面部に周面の少なくとも一部を埋没した状態で備えられており、回転すると、操作部が前面部の表側に出現する第１の姿勢と、前面部の裏側に隠れる第２の姿勢とに変化する。
【００１２】
（請求項１に記載の発明の効果）
所定の操作を行う必要がない時に、回転部材を操作部がパチンコ機の前面部の裏側に隠れる位置に回転させることで、遊技者は操作部を操作できないため、操作手段を誤操作することを防止できる。
【００１３】
（請求項２に記載の発明の作用）
遊技者が貸出操作手段を操作すると、払出装置が貸出用の遊技球を払出す。    
【００１４】
（請求項２に記載の発明の効果）
貸球操作を行う必要がない時に、回転部材を操作部がパチンコ機の前面部の裏側に隠れる位置に回転させることで、貸球操作手段を誤操作することを防止できるため、遊技者の意に反して貸出用の遊技球が払出されてしまうおそれがない。
【００１５】
（請求項３に記載の発明の作用）
記録媒体を挿入口に挿入すると、記録媒体に記録されている情報が読取装置によって読取られ、操作手段が操作されると、払出装置が、上記読み取られた情報に基づいて遊技球を払出す。また、操作手段に備えられた返却操作部を操作すると、返却装置が作動し、挿入口に挿入された記録媒体が挿入前の位置に返却される。
そして、操作手段には貸出操作部と返却操作部が備えられているため、回転部材を回転させると、貸出操作部が前面部の表側に出現するとともに返却操作部が前面部の裏側に隠れる第１の姿勢と、返却操作部が前面部の表側に出現するとともに貸出操作部が前面部の裏側に隠れる第２の姿勢とに変化する。
【００１６】
（請求項３に記載の発明の効果）
遊技者は、貸出操作部、または、返却操作部のうち、操作する可能性がある操作部のみを表側に出現させ、操作する必要のない操作部を裏側に隠すことで誤操作することを防止できる。
例えば、大当りが発生し、上皿に貯留されている遊技球の流れを手で調節しているときに、貸出操作部を誤って操作してしまい、意に反して貸球が払出されてしまうような事態を防止することができる。また、遊技を開始するときや遊技球を補給しながら遊技するときは、貸出操作部を表側に出現させ、返却操作部を裏側に隠すことで、誤って返却操作部を操作してしまい、記録媒体が返却され、遊技が中断してしまう事態を防止できる。
つまり、請求項３に記載の発明によれば、貸出操作部、または、返却操作部のうち、操作する必要のない操作部を裏側に隠すことで、意に反して貸球が払出されてしまうような事態や記録媒体が返却され遊技が中断してしまう事態を防止できる。
【００１７】
（請求項４に記載の発明の作用）
貸出操作手段には、貸出操作部が設けられた第１の回転部材と返却操作部が設けられた第２の回転部材とが備えられており、これら回転部材は、一方の回転部材の回転に連動して他方の回転部材が回転する。そして、貸出操作部がパチンコ機の前面部の表側に出現しているときは返却操作部が裏側に隠れ、貸出操作部が裏側に隠れているときは返却操作部が表側に出現する。
【００１８】
（請求項４に記載の発明の効果）
貸出操作部は遊技開始時、遊技中に操作し、返却操作部は遊技終了時に操作するため、遊技者は、通常、貸出操作部と返却操作部とを同時に操作する場合はない。
つまり、請求項４に記載の発明によれば、貸出操作部および返却操作部は連動して回転し、いずれか一方しか表側に出現していないため、遊技者は、操作する必要のない操作部は裏側に隠し、必要な操作部のみを表側に出現させておけば、意図しない方の誤操作を防止することができる。
【００１９】
（請求項５に記載の発明の作用）
貸出操作部が設けられた第１の回転部材にその回転軸と共通の回転軸を有する第１の歯車が取付けられており、返却操作部が設けられた第２の回転部材にもその回転軸と共通の回転軸を有する第２の歯車が取付けられており、第１の回転部材および第２の回転部材の一方を回転させると、第１の歯車および第２の歯車を介して他方が回転する。
【００２０】
（請求項５に記載の発明の効果）
回転部材の回転運動の伝達に歯車を用いるため、滑りなどのない確実な回転動作の伝達を得ることができる。そのため、操作する必要のない操作部を裏側に隠したつもりが、回転部材がうまく連動せずに、表側に出現したままであるというような不具合を防止することができ、誤操作を確実に防止することができる。
また、歯車の噛み合わせ方を変えれば、貸出操作部および返却操作部がともにパチンコ機の前面部の裏側に隠れる第１の姿勢と、貸出操作部および返却操作部がともにパチンコ機の前面部の表側に出現する第２の姿勢とに変化させることも可能である。
【発明を実施するための最良の形態】
【００２１】
＜第１実施形態＞
［全体の主要構成］
まず、この実施形態のパチンコ機の主要構成について図１および図２を参照して説明する。図１は、そのパチンコ機の外観の斜視説明図である。図２は図１に示すパチンコ機と接続されたプリペイドカードユニットを正面から見た説明図である。
パチンコ機１には、外殻を構成する外枠２が設けられており、その外枠２にはガラス枠３が開閉可能に取付けられている。ガラス枠３の内側には遊技盤５が設けられており、外枠２の前面右下方には、遊技盤５へ遊技球を発射する発射装置を操作する発射ハンドル１５ａが回動可能に取付けられている。ガラス枠３の左下方には、賞球や貸球が供給される賞球・貸球供給口６ａが形成されており、その賞球・貸球供給口６ａの供給側には、その賞球・貸球供給口６ａから供給された賞球や貸球を収容する上皿６が設けられている。上皿６の前面には、ケース状のカバー部材１１１（図７参照）が設けられている。カバー部材１１１には、残高表示器９が設けられており、その横には、球貸ボタンユニット６３と返却ボタンユニット６４が上下に並んで備えられている。上皿６の下方には、上皿６の収容可能数を超えて流下した賞球や上皿球抜きレバー６ｂの操作により上皿６から排出された遊技球などを排出する排出口７ａが形成されている。排出口７ａの排出側には、その排出口７ａから排出された遊技球を収容する下受け皿７が設けられている。
【００２２】
外枠２の左側面には、プリペイドカードユニット９０が接続されている。図２に示すように、プリペイドカードユニット９０には、プリペイドカードの利用が可能であることを示すカード利用ランプ９１と、複数の貸出金額（たとえば、１００円、２００円、３００円、５００円）の中から所望の貸出金額を選択するための金額設定ボタン９２と、金額設定ボタン９２により選択した貸出金額を表示する貸出金額表示部９３と、１００円未満の残高およびメンテナンス情報を上皿６の残高表示器９（図１参照）に表示させる場合に押す端数表示ボタン９４と、プリペイドカードユニット９０が接続されるパチンコ機の接続方向を示す連結台方向表示ランプ９５と、プリペイドカードがパチンコ機に対応していることを示す玉表示ランプ９６と、プリペイドカードを挿入するカード挿入口９８と、カード挿入口９８にプリペイドカードが挿入されていることを示すカード挿入中ランプ９７とが設けられている。カード挿入口９８の内部には、プリペイドカードに記録された情報（残り度数）を読取るとともに、情報を書換える装置が設けられている。
【００２３】
球貸ボタンユニット６３には、遊技球の貸出しを行う場合に押す球貸ボタン６３ａが備えられており、返却ボタンユニット６４には、カード挿入口９８に挿入されているプリペイドカードを返却するために押す返却ボタン６４ａが備えられている。（図５（Ａ）参照）
プリペイドカードをカード挿入口９８に挿入した状態で、球貸ボタン６３ａを１回押す毎に、設定されている貸出金額分の貸球が上皿６に払出され、プリペイドカードに記録されている残り度数が減少する。たとえば、１回に付き５００円分の貸球が払出されるように設定されている場合は、球貸ボタン６３ａを１回押すと５００円分の貸球が払出され、残り度数が５度数減少する。また、減少した残り度数は残高表示器９に表示される。残高表示器９は、たとえば７セグメントのＬＥＤにより残り度数を３桁の数字で表示するように構成されており、残り度数を１００円（１度数）単位で表示し、たとえば、５００円分が残っている場合には、００５（５度数）と表示する。残り度数が設定されている貸出金額より少ないときに球貸ボタン６３ａを押した場合は、残り度数がゼロになるまで貸球が払出される。
【００２４】
［遊技盤５の主要構成および主な遊技］
次に、遊技盤５の主要構成について図３を参照して説明する。図３は遊技盤５の主要構成を示す正面説明図である。
遊技盤５の略中央には、センターケース３０が備えられている。センターケース３０には、複数の特別図柄（たとえば、０〜９の数字を表現した図柄）を表示する特別図柄表示装置３２が設けられている。特別図柄表示装置３２は、複数の特別図柄を所定の順序で画面上に表示する（以下、その表示を特別図柄の変動表示という）。変動表示の手法は複数あり、たとえば複数の特別図柄を縦方向に配列した図柄列を画面の横方向３個所の表示領域においてそれぞれ上から下に向けて移動させる手法がある。
センターケース３０の下方には、第１種始動口２７が内部に設けられた普通電動役物２８が設けられている。遊技球が第１種始動口２７に入賞すると、特別図柄表示装置３２が特別図柄の変動表示を開始する。また、遊技球が第１種始動口２７に入賞すると、所定個数（たとえば、４個）の賞球が払出される。なお、特別図柄の変動表示中に遊技球が第１種始動口２７に入賞した場合は、その入賞による特別図柄の変動表示が保留され、その保留された変動表示は、現在行われている変動表示終了後に行われる。保留されている数（以下、特別図柄始動記憶数という）は特別図柄表示装置３２の画面に数字や記号などで表示される。
【００２５】
特別図柄の変動表示開始から所定時間経過すると、各図柄列を所定の順序で停止させ、各表示領域に停止図柄を表示する。そして、各停止図柄が大当り図柄（たとえば、７７７などの同一数字からなるもの）の場合に大当りが発生する。大当りが発生すると、普通電動役物２８の下方に設けられた変動入賞装置４０が作動し、大入賞口開閉部材４３が開放し、大入賞口４１が開口する。そして、大入賞口４１に遊技球が入賞すると、所定個数（たとえば１５個）の賞球が払出される。大入賞口４１が開口してから所定時間（たとえば約３０秒）経過したか、あるいは大入賞口４１への入賞数が所定数（たとえば１０個）に達したかのいずれかの条件が満足されると大入賞口４１が閉口する。大入賞口４１の開口から閉口までを１ラウンドといい、ラウンド中に、大入賞口４１の内部に設けられた特定領域に遊技球が入賞したことを条件として次のラウンドに進むことができ、複数のラウンド（たとえば１６ラウンド）を実行することができる。以下、第１ラウンドから最終ラウンドまでの遊技を大当り遊技という。
【００２６】
特別図柄表示装置３２の上方には、普通図柄を表示する普通図柄表示装置３４が設けられている。普通図柄表示装置３４は複数の普通図柄を所定の順序で表示する（以下、その表示を普通図柄の変動表示という）。この実施形態では、普通図柄表示装置３４は３個のＬＥＤを備えており、各ＬＥＤの点灯状態および消灯状態の組合せが普通図柄を表現しており、遊技球が遊技盤５に設けられた右ゲート２５または左ゲート２６を通過すると普通図柄表示装置３４が普通図柄の変動表示を開始し、当りの普通図柄で停止すると、普通電動役物２８の両翼が開放し、第１種始動口２７への入賞が容易となる。なお、普通図柄の変動表示中に遊技球が右ゲート２５または左ゲート２６を通過した場合は、その通過による普通図柄の変動表示が保留され、その保留された変動表示は、現在行われている変動表示終了後に行われる。保留されている数（以下、普通図柄始動記憶数という）は、４個のＬＥＤを備えた普通図柄始動記憶数表示装置３５のＬＥＤの点灯数により表示される。
【００２７】
また、遊技盤５には、右入賞口２２、左入賞口２３、右下入賞口１４および左下入賞口４４（以下、これらの入賞口を一般入賞口という）が設けられている。一般入賞口に入賞すると所定個数（たとえば、７個）の賞球が払出される。
その他遊技盤５には、風車２４、ＬＥＤにより装飾された装飾風車４６、発射された遊技球を遊技領域へ案内する案内レール１６、遊技盤５の上方角部を装飾するコーナー飾り１１、側部を装飾するサイド飾り２０、どこにも入賞しなかった遊技球をアウト球として回収するアウト口４５などが設けられている。なお、図示しないが、遊技盤５の盤面には、多くの遊技釘が打ち込まれており、発射された遊技球は遊技釘に衝突することによって流下方向が変化し、入賞口に入賞したり、右ゲート２５または左ゲート２６を通過したりする。
【００２８】
［パチンコ機１の電気的構成］
次に、パチンコ機１の主な電気的構成についてそれをブロックで示す図４を参照して説明する。
パチンコ機１には、主制御基板１００が設けられており、その主制御基板１００には、マイクロプロセッサ１１０が搭載されている。マイクロプロセッサ１１０は、メインＣＰＵ１１２と、ＲＯＭ１１４と、ＲＡＭ１１６とを備える。メインＣＰＵ１１２は、入賞の発生の検出、入賞数の演算、払出個数の監視、払出すべき賞球数と実際に払出された賞球数との誤差の演算、誤差の演算結果に基づくエラー報知、大当りかハズレかの判定（以下、大当り判定という）、特別図柄の変動表示内容の決定など、遊技の進行に必要は主な制御および処理を行う。
ＲＯＭ１１４には、メインＣＰＵ１１２が各種制御などを実行するための各種制御プログラム、制御プログラム実行時に参照する各種テーブルなどが記録されている。ＲＡＭ１１６は、メインＣＰＵ１１２の処理結果などの遊技中に発生する各種データ、ＲＯＭ１１４から読出された制御プログラムなどを一時的に格納し、電源遮断時に停電直前の遊技状態を示すデータなどをバックアップして記憶するバックアップ領域を備える。
【００２９】
主制御基板１００には、次に記載するものが電気的に接続されている。遊技球が第１種始動口２７に入賞したことを検出する第１種始動口スイッチ（ＳＷ）２７ａ、特別図柄表示装置３２を制御する図柄制御基板３２ａ、遊技中に発生する効果音を制御する音声制御基板７９、ＬＥＤやランプ類などの発光部材の点灯・点滅を制御するランプ制御基板３００、電源基板７１、賞球および貸球の払出しなどを制御する払出制御基板２００、大当りの発生や賞球払出数などに関する遊技盤情報をパチンコホールの管理室などに設けられたホールコンピュータへ送信するための遊技枠情報端子基板５２、盤面中継基板５１、遊技枠中継基板５３である。
【００３０】
払出制御基板２００には、主制御基板１００から送信されてくる賞球コマンドなどを受信するマイクロプロセッサ２１０が搭載されており、マイクロプロセッサ２１０には、賞球および貸球の払出しなどの制御を実行するサブＣＰＵ２１２と、このサブＣＰＵ２１２が賞球および貸球の払出しなどの制御を実行するための各種制御プログラムが記録されたＲＯＭ２１４と、メインＣＰＵ１１２から送信された賞球コマンドにより示される賞球数やサブＣＰＵ２１２が各種制御プログラムを実行する際にＲＯＭ２１４から読出された制御プログラムなどを一時的に格納するＲＡＭ２１６とが搭載されている。また、ＲＡＭ２１６は、電源遮断時に、入賞数や未払いの賞球数などを示すデータをバックアップして記憶するバックアップ領域を備える。
また、払出制御基板２００には、電源基板７１、発射モータ１５ｅを駆動するための発射モータ駆動基板１５ｃ、遊技枠情報端子基板５２および払出中継基板５５が電気的に接続されている。発射モータ駆動基板１５ｃには、発射モータ駆動基板１５ｃから発射モータ１５ｅへ駆動信号を出力させるための発射スイッチ（ＳＷ）１５ｄが電気的に接続されている。
【００３１】
遊技枠中継基板５３には、下受け皿７が遊技球で満杯になったことを検出する下皿満杯検出スイッチ（ＳＷ）７２、賞球切れを検出する賞球切れ検出スイッチ（ＳＷ）７３およびセンサ中継基板５４が電気的に接続されている。センサ中継基板５４は、払出装置６２に備えられた前部検出スイッチ（ＳＷ）６２ａ、後部検出スイッチ（ＳＷ）６２ｂおよび払出中継基板５５と電気的に接続されている。払出中継基板５５には、貸球切れを検出する貸球切れ検出スイッチ（ＳＷ）６１および払出モータ６２ｃが電気的に接続されている。
盤面中継基板５１には、普通電動役物２８の両翼を開閉駆動する普通電動役物ソレノイド（ＳＬ）２８ａと、普通図柄表示装置３４と、右ゲート２５を通過した遊技球を検出する右ゲートスイッチ（ＳＷ）２５ａ、左ゲート２６を通過した遊技球を検出する左ゲートスイッチ（ＳＷ）２６ａ、大入賞口４１に入賞した遊技球を検出する大入賞口スイッチ（ＳＷ）４１ａ、右入賞口２２に入賞した遊技球を検出する右入賞口スイッチ（ＳＷ）２２ａ、左入賞口２３に入賞した遊技球を検出する左入賞口スイッチ（ＳＷ）２３ａ、右下入賞口１４に入賞した遊技球を検出する右下入賞口スイッチ（ＳＷ）１４ａ、左下入賞口４４に入賞した遊技球を検出する左下入賞口スイッチ（ＳＷ）４４ａおよび大入賞口中継基板５０である。
【００３２】
大入賞口中継基板５０には、特定領域を通過した遊技球を検出する特定領域スイッチ（ＳＷ）４２ａと、遊技球を特定領域へ案内する状態と案内しない状態とに変化する部材を動作させる特定領域ソレノイド（ＳＬ）４２ｂと、大入賞口開閉部材４３を開閉動作させる大入賞口ソレノイド（ＳＬ）４１ｂとが電気的に接続されている。電源基板７１は、ＣＲ接続基板５６と電気的に接続されており、ＣＲ接続基板５６には、残高表示器９に残り度数を表示するための回路が搭載された度数表示基板５７と、プリペイドカードユニット９０とが電気的に接続されている。度数表示基板５７には、貸出ボタン８１と、貸出ボタンランプ８３とが電気的に接続されている。
電源基板７１は、ＡＣ２４Ｖ（５０Ｈｚ／６０Ｈｚ）の主電源７０から電源の供給を受け、各基板および装置へ動作電源を供給する。図示しないが、電源基板７１には、パチンコ機１の電源のＯＮ・ＯＦＦを行う電源スイッチ（ＳＷ）と、ＲＡＭ１１６，２１６のバックアップ領域に記憶されているデータをクリアするためのＲＡＭクリアスイッチとが設けられている。
【００３３】
［球貸ボタンユニット６３および返却ボタンユニット６４の構造］
次に、球貸ボタンユニット６３および返却ボタンユニット６４の構造について図５ないし図８を参照して説明する。図５（Ａ）は、球貸ボタン６３ａおよび返却ボタン６４ａが正面に露出している状態を示す斜視説明図であり、図５（Ｂ）は、球貸ボタンユニット６３および返却ボタンユニット６４が回転し、球貸ボタン６３ａおよび返却ボタン６４ａがカバー部材１１１の裏に隠れた状態を示す斜視説明図である。図６は、球貸ボタンユニット６３の構造を示す斜視説明図である。図７は、球貸ボタンユニット６３および返却ボタンユニット６４のカバー部材１１１への取付け方を示す斜視説明図である。図８は球貸ボタンユニット６３および返却ボタンユニット６４の一部縦断面説明図である。図８（Ａ）は、球貸ボタン６３ａおよび返却ボタン６４ａが共に正面に露出している状態を示す一部縦断面説明図であり、図８（Ｂ）は、球貸ボタンユニット６３を、図８（Ａ）に示す状態から時計回りに９０゜回転させた状態を示す一部縦断面説明図である。なお、図８は球貸ボタンユニット６３および返却ボタンユニット６４を、パチンコ機の正面に向かって右方向から見たときの一部縦断面説明図であり、図面右方向がパチンコ機の奥行き方向となる。
【００３４】
図５（Ａ）に示すように、上皿６の前面には、カバー状のカバー部材１１１（図７参照）が設けられている。球貸ボタン６３ａが取り付けられた球貸ボタンユニット６３と、返却ボタン６４ａが取り付けられた返却ボタンユニット６４とは、周面の少なくとも一部がカバー部材１１１に埋没した状態で上下に並んで上皿６に備えられている。
球貸ボタンユニット６３および返却ボタンユニット６４の各左端部には、それぞれ歯車６３ｂ、６４ｂが備えられている。歯車６３ｂ、６４ｂをカバー部材１１１の奥行き方向に回転させることで、球貸ボタンユニット６３および返却ボタン６４ａをカバー部材１１１の奥行き方向に回転させることができる。
【００３５】
図６に示すように、球貸ボタンユニット６３は、円柱状の周面６３ｈを有するベース部材６３ｇと、このベース部材６３ｇの開口部６３ｎに被せる板状のボタンカバー６３ｆとを備えている。ボタンカバー６３ｆの表面には、球貸ボタン６３ａが設けられている。図示しないが、球貸ボタン６３ａの裏面には突起部が形成されている。
ベース部材６３ｇの左右端部から円筒状の回転軸６３ｄが横方向に突出しており、左側の回転軸６３ｄの基部には、その回転軸６３ｄを有する歯車６３ｂが備えられている。歯車６３ｂは、ベース部材６３ｇより大きい径に形成されており、最上部に突起部６３ｍが設けられている。
ベース部材６３ｇの内部には、板状部材６３ｉがボタンカバー６３ｆと対向して設けられている。板状部材６３ｉには、球貸ボタン６３ａの裏面の突起部に対応する位置に球貸ボタンスイッチ６３ｊが設けられている。
ベース部材６３ｇの開口部６３ｎの周縁には、突起部６３ｋ、６３ｋが設けられている。図示しないが、ボタンカバー６３ｆの裏面であって、突起部６３ｋと対向する個所には、突起部６３ｋが嵌合可能な嵌合口が開口形成されており、突起部６３ｋを嵌合口に嵌め込むことにより、ボタンカバー６３ｆはベース部材６３ｇの開口部６３ｎに固定される。
球貸ボタン６３ａは弾力性のある材料、例えば、ゴムや樹脂で形成されており、球貸ボタン６３ａを押圧すると、球貸ボタンスイッチ６３ｊがボタンカバー６３ｆ裏面の突起部に押圧されてＯＮになり、その押圧が解除されるとＯＦＦになる。
球貸ボタンスイッチ６３ｊの後端からは、球貸ボタンスイッチ６３ｊと電気的に接続されたリード線６３ｅが導出されている。リード線６３ｅは、歯車６３ｂおよび回転軸６３ｄの中空部を通じて配線されている。つまり、球貸ボタンユニット６３が回動したときに、リード線６３ｅが歯車６３ｂおよび回転軸６３ｄに絡みついてしまい、操作に支障を来すおそれがない。
【００３６】
図７に示すように、カバー部材１１１の裏面には、残高表示器９が設けられており、その横には、略四角形の窓１１５ａ、１１５ｂが上下に並んで形成されている。窓１１５ａの両横方向には、球貸ボタンユニット６３の回転軸６３ｄ、６３ｄを受け止める軸受１１３ａ、１１４ａが設けられており、窓１１５ｂの両横方向には、返却ボタンユニット６４の回転軸６４ｄを受け止める軸受１１３ｂ、１１４ｂが設けられている。軸受１１４ａおよび軸受１１４ｂには、それぞれ横方向に貫通孔が形成されており、軸受１１３ａおよび軸受１１３ｂの外側の端部は、それぞれ閉塞されている。
【００３７】
窓１１５ａは、球貸ボタンユニット６３のボタンカバー６３ｆに対応する大きさに形成されており、球貸ボタンユニット６３の各回転軸６３ｄを軸受１１３ａ、１１４ａに取付けたときに、カバー部材１１１の正面から見て窓１１５ａからボタンカバー６３ｆが出現するようになっている（図５（Ａ）参照）。また、窓１１５ａの端部であって、球貸ボタンユニット６３の歯車６３ｂに対応する箇所には、歯車６３ｂの一部をカバー部材１１１の表面から突出させるための細長い切り込みが上下方向に開口形成されている。
つまり、スリットから突出した歯車６３ｂを指で回すと、窓１１５ａからボタンカバー６３ｆが出現したり隠れたりする。
窓１１５ｂは、返却ボタンユニット６４のボタンカバー６４ｆに対応する大きさに形成されており、返却ボタンユニット６４の各回転軸６４ｄを軸受１１３ｂ、１１４ｂに取付けたときに、カバー部材１１１の正面から見て窓１１５ｂからボタンカバー６４ｆが出現するようになっている（図５（Ａ）参照）。また、窓１１５ｂの端部であって、返却ボタンユニット６４の歯車６４ｂに対応する箇所には、歯車６４ｂの一部をカバー部材１１１の表面から突出させるための細長い切り込みが上下方向に開口形成されている。
つまり、スリットから突出した歯車６４ｂを指で回すと、窓１１５ｂからボタンカバー６４ｆが出現したり隠れたりする。
【００３８】
また、カバー部材１１１の裏面には、ケース状のベース部材１１７が取付けられている。ベース部材１１７の開口部は、カバー部材１１１の開口部に対応した形状に形成されている。カバー部材１１１の開口端部には、取付穴１１１ａ、１１１ａが設けられており、ベース部材１１７の開口端部であって、取付穴１１１ａ、１１１ａに対応する箇所には、取付穴１１１ａに嵌合可能な突起部１１７ａ、１１７ａ（図面上では１つのみ示す）が設けられている。
図８に示すように、カバー部材１１１の裏側で窓１１５ａの上部には、球貸ボタン６３ａが正面を向いているときに歯車６３ｂの突起部６３ｍが当たる位置に、突起状のストッパー１１１ｂが設けられている。また、ベース部材１１７には、球貸ボタンユニット６３を時計方向へ９０°回転させたときに歯車６３ｂの突起部６３ｍが当たる位置に、突起状のストッパー１１７ｂが設けられている。
【００３９】
球貸ボタンユニット６３および返却ボタンユニット６４は、以下の手順により、カバー部材１１１に取付ける。
まず、リード線６３ｅを軸受１１４ａの貫通孔へ内側から通し、カバー部材１１１の外方へ引っ張り出す。続いて、リード線６４ｅを軸受１１４ｂの貫通孔へ内側から通し、カバー部材１１１の外方へ引っ張り出す。続いて、図７に示すように、球貸ボタンユニット６３の下部に返却ボタンユニット６４を配置し、球貸ボタン６３ａおよび返却ボタン６４ａがそれぞれ窓１１５ａ、１１５ｂから同時に出現する向きになるように歯車６３ｂ、６４ｂを噛み合わせる。そして、その状態を維持しながら、球貸ボタンユニット６３の左側の回転軸６３ｄを軸受１１４ａに、返却ボタンユニット６４の左側の回転軸６４ｄを軸受１１４ｂにそれぞれ挿入する。次に、球貸ボタンユニット６３の右側の回転軸６３ｄを軸受１１３ａに、返却ボタンユニット６４の右側の回転軸６４ｄを軸受１１３ｂにそれぞれ挿入する。そして、ベース部材１１７の各突起部１１７ａをカバー部材１１１の対応する取付穴１１１ａに嵌め込み、ベース部材１１７をカバー部材１１１に取付ける。
【００４０】
これにより、図８（Ａ）に示すように、球貸ボタンユニット６３の球貸ボタン６３ａは窓１１５ａから前面に露出し、歯車６３ｂは窓１１５ａの切り込みから前面に露出する。また、返却ボタンユニット６４の返却ボタン６４ａは窓１１５ｂから前面に露出し、歯車６４ｂは窓１１５ｂの切り込みから前面に露出する。また、歯車６３ｂおよび歯車６４ｂは噛み合った状態になる。
このとき、遊技者からは図５（Ａ）のように見え、球貸ボタン６３ａおよび返却ボタン６４ａを共に操作することができる。なお、球貸ボタン６３ａの表面には、球貸ボタンであることの表示（例えば、球貸という文字や図など）が施されており、返却ボタン６４ａの表面には、返却ボタンであることの表示（例えば、返却という文字や図など）が施されている。
【００４１】
歯車６３ｂを突起部６３ｍがストッパー１１７ｂにつかえるまで時計方向へ回転させると、図８（Ｂ）に示すように、球貸ボタン６３ａが１２時方向を向き、返却ボタン６４ａが６時方向を向いた状態になる。このとき、遊技者からは図５（Ｂ）のように見え、球貸ボタン６３ａおよび返却ボタン６４ａは、それぞれ操作不可能な位置へ回動する。つまり、遊技者が上皿６に貯留されている遊技球の流れを手で調節するときに誤って球貸ボタン６３ａまたは返却ボタン６４ａを操作してしまうおそれがない。さらに、遊技者の体が横を向いたときなどに体の一部が触れてしまい、球貸ボタン６３ａまたは返却ボタン６４ａが操作されてしまうおそれもない。なお、球貸ボタンユニット６３の周面には、球貸操作ができないことを表す図を表示する表示部６３ｃが設けられ、返却ボタンユニット６４の周面には、返却操作ができないことを表す図を表示する表示部６４ｃが設けられている。
【００４２】
［第１実施形態の効果］
（１）以上のように、第１実施形態のパチンコ機１を使用すれば、球貸ボタンユニット６３を球貸ボタン６３ａがカバー部材１１１の裏側に隠れる位置に回転させることができるため、遊技球の貸球操作を行う必要がない時に、球貸ボタン６３ａを操作できないので、遊技者が球貸ボタン６３ａを誤操作することを防止でき、遊技者の意に反して貸出用の遊技球が払出されてしまうおそれがない。
また、球貸ボタンユニット６３を、球貸ボタン６３ａの反対側に返却ボタン６４ａが設けた構成とし、返却ボタンユニット６４を設けないようにしてもよい。この場合、球貸ボタン６３ａが露出しているときには返却ボタン６４ａが隠れ、返却ボタン６４ａが露出しているときには球貸ボタン６３ａが隠れるため、操作の必要なボタンのみ露出させておくことができるので、操作する必要のないボタンを誤操作するおそれがない。
（２）また、球貸ボタンユニット６３は返却ボタンユニット６４と連動して回転させることができるため、球貸ボタンユニット６３または返却ボタンユニット６４のいずれか一方を回転させ、カバー部材１１１の裏側に隠せば、他方も同時に隠すことができ、１回の回転操作で球貸ボタン６３ａおよび返却ボタン６４ａの誤操作を防止できる。
（３）さらに、球貸ボタンユニット６３と返却ボタンユニット６４の回転運動の伝達に歯車を用いるので、滑りなどのない確実な回転動作の伝達を得ることができる。そのため、操作する必要のない球貸ボタン６３ａおよび返却ボタン６４ａをカバー部材１１１の裏側に隠したつもりが、球貸ボタンユニット６３と返却ボタンユニット６４の回転運動がうまく連動せずに、球貸ボタン６３ａまたは返却ボタン６４ａがカバー部材１１１の表側に出現したままであるというような不具合を防止することができ、誤操作を確実に防止することができる。
【００４３】
［第２実施形態］
次に、この発明の第２実施形態について図９を参照して説明する。図９（Ａ）は、球貸ボタン６３ａが正面に露出し、返却ボタン６４ａがカバー部材１１１の裏に隠れた状態を示す斜視説明図であり、図９（Ｂ）は、球貸ボタンユニット６３が回転し、返却ボタン６４ａが正面に露出し、球貸ボタン６３ａがカバー部材１１１の裏に隠れた状態を示す斜視説明図である。なお、球貸ボタンユニット６３および返却ボタンユニット６４を取り付けるときの歯車の噛み合わせ方以外は、前述の第１実施形態と同じ構造であるため、その同じ部分の説明を省略し、同じ構造については同じ符号を用いるものとする。
この実施形態では、図８（Ａ）に示した、カバー部材１１１に球貸ボタンユニット６３および返却ボタンユニット６４を取り付けるときの歯車６３ｂ、６４ｂの噛み合わせ方を変えている。つまり、球貸ボタン６３ａは窓１１５ａから前面に露出しており、返却ボタン６４ａは６時方向を向いた状態で歯車６３ｂ、６４ｂを噛み合わせてある。このように歯車６３ｂ、６４ｂを噛み合わせれば、図９（Ａ）に示すように、球貸ボタン６３ａが表側に出現し、返却ボタン６４ａが裏側に隠れた状態となり、球貸ボタン６３ａのみ操作することができる。
歯車６３ｂ、６４ｂを回転させたときは、図９（Ｂ）に示すように、返却ボタン６４ａが表側に出現し、球貸ボタン６３ａが裏側に隠れた状態となる。このとき、返却ボタン６４ａのみ操作することができる。
このように、球貸ボタン６３ａおよび返却ボタン６４ａの何れか一方のボタンのみを露出させることができるので、操作の必要なボタンのみ露出させておけば、操作する必要のないボタンを誤操作するおそれがない。
【００４４】
［第２実施形態の効果］
（１）以上のように、第２実施形態のパチンコ機１を使用すれば、遊技者は、球貸ボタンユニット６３を回転させ、球貸ボタン６３ａおよび返却ボタン６４ａのうち、操作する可能性があるボタンのみをカバー部材１１１の表側に出現させ、操作する必要のないボタンをカバー部材１１１の表側に隠しておくことができるため、誤操作を防止できる。
例えば、大当りが発生し、上皿６に貯留されている遊技球の流れを手で調節しているときに、球貸ボタン６３ａを誤って操作してしまい、意に反して貸出用の遊技球が払出されてしまうような事態を防止することができる。また、遊技を開始するときや遊技球を補給しながら遊技するときは、球貸ボタン６３ａを表側に出現させ、返却ボタン６４ａを裏側に隠すことで、誤って返却ボタン６４ａを操作してしまい、プリペイドカードが返却され、遊技が中断してしまう事態を防止できる。
つまり、第２実施形態のパチンコ機１を使用すれば、球貸ボタン６３ａおよび返却ボタン６４ａのうち、操作する必要のないボタンをカバー部材１１１裏側に隠すことで、意に反して貸出用の遊技球が払出されてしまうような事態やプリペイドカードが返却され遊技が中断してしまう事態を防止できる。
（２）上記第２実施形態のパチンコ機１は、球貸ボタンユニット６３および返却ボタンユニット６４を取り付けるときの歯車の噛み合わせ方以外は、第１実施形態のパチンコ機と同じ構成であるため、前述した第１実施形態の（１）および（３）の効果を奏することができる。
【００４５】
［他の実施形態］
（１）この発明の操作手段は、球貸ボタンユニット６３および返却ボタンユニット６４以外に、特別図柄の変動開始から終了までにかかる時間を短縮するための図柄変動短縮操作、特別図柄の変動を停止するための図柄変動停止操作、特別図柄表示装置の画像内容やリーチ演出の内容を選択するための演出画像選択操作、ソレノイドによって下受け皿を開放し、下受け皿内の遊技球を球箱に抜くための皿球抜き操作などを行う手段にも適用することができる。遊技者がこれら操作を行う必要がないときに、操作手段を操作できない位置に回転させておけば誤操作を防止できる。
（２）球貸ボタンユニット６３および返却ボタンユニット６４の配置は、上下逆でもよいし、横に並べたり、残高表示器９を挟んで対称に配置してもよい。球貸ボタンユニット６３および返却ボタンユニット６４は、独立して個別に回転できるようにしてもよい。また、球貸ボタンユニット６３および返却ボタンユニット６４は上皿６以外の場所、例えば、下受け皿や外枠などに設けてもよい。この構成を使用した場合、遊技者が見やすく、操作しやすい位置を任意に選んで配置することができ、遊技者が操作を行う必要がないボタンを操作できない位置に回転させておけば、誤操作を防止できる。
（３）球貸ボタンユニット６３および返却ボタンユニット６４の形状は円柱状に限らず、例えば、角柱、俵型など、回転可能な形状を選択することができる。この構成を使用した場合でも前記各実施形態と同じ効果を奏することができ、遊技者が操作し易い形状、好みのデザイン形状などを選択することが可能である。
（４）球貸ボタン６３ａおよび返却ボタン６４ａはタッチセンサ式でもよい。この構成を使用すれば、わずかな力で確実にボタンを操作することができ、過剰な押圧によるボタンユニットの破損などを防止することもできる。
（５）球貸ボタン６３ａおよび返却ボタン６４ａの各ボタンの大きさや形状などを異ならせてもよい。この構成を使用すれば、遊技者が遊技をしながらボタンを操作するときに、指に当たった感覚でボタンを判別でき、誤操作を防止することができる。
【００４６】
［各請求項と実施形態との対応関係］
（請求項１）
球貸ボタンユニット６３および返却ボタンユニット６４などが操作手段にそれぞれ対応する。
操作部は、各操作手段を行うときに操作するボタンであり、例えば、操作手段が球貸ボタンユニット６３の場合には球貸ボタン６３ａが、操作手段が返却ボタンユニット６４の場合には返却ボタン６４ａが、操作部にそれぞれ対応する。
（請求項３）
球貸ボタン６３ａが貸出操作部に、返却ボタン６４ａが返却操作部にそれぞれ対応する。
（請求項４）
プリペイドカードが記録媒体に対応する。
【図面の簡単な説明】
【００４７】
【図１】パチンコ機の外観の斜視説明図である。
【図２】図１に示すパチンコ機と接続されたプリペイドカードユニット９０を正面から見た説明図である。
【図３】遊技盤５の主要構成を示す正面説明図である。
【図４】パチンコ機１の主な電気的構成をブロックで示す説明図である。
【図５】図５（Ａ）は、球貸ボタン６３ａおよび返却ボタン６４ａが正面に露出している状態を示す斜視説明図であり、図５（Ｂ）は、球貸ボタンユニット６３および返却ボタンユニット６４が回転し、球貸ボタン６３ａおよび返却ボタン６４ａがカバー部材１１１の裏に隠れた状態を示す斜視説明図である。
【図６】球貸ボタンユニット６３の構造を示す斜視説明図である。
【図７】球貸ボタンユニット６３および返却ボタンユニット６４のカバー部材１１１への取付け方を示す斜視説明図である。
【図８】図８（Ａ）は、球貸ボタン６３ａおよび返却ボタン６４ａが共に正面に露出している状態を示す一部縦断面説明図であり、図８（Ｂ）は、球貸ボタンユニット６３を、図８（Ａ）に示す状態から時計回りに９０゜回転させた状態を示す一部縦断面説明図である。
【図９】図９（Ａ）は、球貸ボタン６３ａが正面に露出し、返却ボタン６４ａがカバー部材１１１の裏に隠れた状態を示す斜視説明図であり、図９（Ｂ）は、球貸ボタンユニット６３が回転し、返却ボタン６４ａが正面に露出し、球貸ボタン６３ａがカバー部材１１１の裏に隠れた状態を示す斜視説明図である。
【符号の説明】
【００４８】
１    パチンコ機
６    上皿
６３    球貸ボタンユニット（操作手段）
６３ａ  球貸ボタン（貸出操作部）
６３ｂ  歯車
６３ｄ  回転軸
６４    返却ボタンユニット（操作手段）
６４ａ  返却ボタン（返却操作部）
６４ｂ  歯車
６４ｄ  回転軸
【図１】
2005237446.tif 000003
【図２】
2005237446.tif 000004
【図３】
2005237446.tif 000005
【図４】
2005237446.tif 000006
【図５】
2005237446.tif 000007
【図６】
2005237446.tif 000008
【図７】
2005237446.tif 000009
【図８】
2005237446.tif 000010
【図９】
2005237446.tif 000011